(57)【要約】      （修正有）【課題】ルアー用の軟質材からなるワームなどを疑似餌として使用する釣りにおいて、当該のワームの着脱が容易で、釣り竿を使った「仕掛け」の遠投や、激しくワームを動かして急激な負荷がかかっても、強固にワームの保持ができ、さらに、ワームの利点である動きの良さが損なわれないようなワームの固定構造を提供する。【解決手段】ワーム用ルアー仕掛けへのワームの固定を、ワームの固定構造を備えた本体を介して行う。該固定構造は、ワームの弾力を利用してワームの持つ利点である動きの良さを残したまま強固にワームの保持をおこなえる。また、弾力に乏しい素材の固定は、可動式ストッパー８で対応する。【選択図】図２
2018117606.tif 000002
【特許請求の範囲】
【請求項１】
第１発明は、ワームと釣り針を装着することでルアー用ワーム仕掛けとなる本体に装備されるワーム固定構造である。
【請求項２】
図１は、本体のワーム固定構造の実施形態の一例で、釣り糸を装着するための釣り糸を結ぶための穴（１）を有する本体に、ワームを保持固定するための部品であるキーパー（２）と（３）を最適な場所に接着固定し装備した、キーパーの位置固定式のワームなどの固定構造である。
【請求項３】
第２発明は、図２の、本体のワームなどの固定構造の実施形態の一例で、固定したいワームなどのサイズに合わせてキーパー（６）と（７）の間隔を調整できることを特徴とするキーパーの位置可動式のワームなどの固定構造である。
該実施形態の一例を示した図２では、釣り糸を結ぶ為の穴（１）を有する本体に、ワームなどを保持固定するためのキーパー（６）と（７）を可動式ストッパー（８）にて仮固定して装備する。
【請求項４】
本体へのワームの装着及び保持はワーム素材が持つ弾力を利用する。（図８）に示すワームの装着方法のように、キーパーのどちらか片側をワームに差し通した後、一度ワームを引き伸ばして、もうひとつのキーパーをワームに刺し通す固定方法である。
【発明の詳細な説明】
【技術分野】
【０００１】  この発明は、ルアー用軟質素材からなるワームなどを、ルアー釣り用ワーム仕掛け（以下、「仕掛け」）に固定できる部品である本体の、ワームなどの固定構造に関する。【０００２】  「仕掛け」に当該ワームなどを固定するための部品である本体には、ワームなどの着脱が容易、且つ、釣り竿を使用して遠投（以下、「キャスト」）したり激しく動かしたりして急激に負荷が生じても、ワームなどが強固に「仕掛け」に保持され、さらに、ワーム素材の有する利点の一つである柔らかさが生み出す動きの良さを損なわないワームなどの固定構造に関する。【０００３】  複数の釣り針を備えた「仕掛け」（図３を一例として示す）や、イカ釣り用ルアーとしてカンナ針を備えた「仕掛け」（図４を一例として示す）などの様々な「仕掛け」に、ワームなどを固定する為の部品である本体を使用したワームの固定構造に関する。
【背景技術】
【０００４】  既存のワームの固定構造の例として、ジグヘッドによるワーム固定構造（図５）、専用器具によるワーム固定構造（図６）、ワーム素材を使用したルアーを製造する際のインサート成型によるワーム固定構造（図７）を取り上げて説明する。【０００５】  図５、はジグヘッドによるワーム固定構造の実施形態の例。着脱は手軽だが、ワームを針に刺し通す際に曲がりやすい上、仕掛けを「キャスト」するときや、激しく動かすことにより生じる負荷で、装着したワームがずれやすい。また、本発明に拠る固定構造のように、釣り針を複数備えた「仕掛け」の作成を前提としていない。【０００６】  図６、は専用器具を使用したワーム固定構造の実施形態の例。釣り針の装着が、専用器具をワームに差し通した後に行われるこの構造では、ワームのみを交換したい場合でもすべての釣り針を外して付け直す必要があり扱いが面倒。また、複数の釣り針を備えた「仕掛け」にする場合、ワームに刺し通される金属部分が大きくなり、ワームの利点である、素材の柔らかさが生み出す動きのよさを活かすことができない。【０００７】  図７、はインサート整形によるワーム固定構造の実施形態の一例。ワーム部分が傷んでも交換ができないため、ルアー用軟質素材を選択する際に、動きがいい柔らかいワーム素材より、強度がある硬いワーム素材が使われることもあり、ワームの持つ利点を十分に活かした製品づくりが定着しているとは言い難い。また、インサート成型に伴う手間やコスト負担が生じ、一部の釣りジャンルに於いてはマーケットへの浸透が限定的である。
【発明の概要】
【発明の開示】
【０００８】  本発明は、このような従来からの不具合を解決するための部品である本体のワームなどの固定構造に関する。
【発明が解決しようとする課題】
【０００９】  「仕掛け」を「キャスト」したり激しく操作したりしても、ワームなど固定したものがズレたり脱落しにくい固定構造の提供。
【００１０】  ワームの素材の柔らかさから生じるメリットである魚を誘うワームの動きを、除魔しないよう、ワームの可動部分を十分に確保しつつ「仕掛け」へのワームの保持が可能な固定構造の提供。
【００１１】  ワームの着脱で、「仕掛け」に装着された釣り針を外すことなく、短時間で真っ直ぐ刺し通せる、扱いやすい固定構造の提供。
【００１２】  ルアー用軟質素材をボディー素材として形成されたルアーの生産が、インサート成形と比較して、簡単で低コストになるワーム固定構造の提供。
【課題を解決するための手段】
【００１３】  該課題達成のため、「仕掛け」へのワームなどの固定は、キーパーによる固定構造を備えた本体を使用する。
【００１５】  請求項１記載の第１発明は、ワームと釣り針を装着することでルアー釣り用ワーム仕掛けとなる本体のワーム固定構造である。
一例として、図１のキーパー（２）と（３）を本体に具備することで、強固なワーム保持能力を持つ、「固定式のキーパーによる固定構造」である。
【００１６】  また、請求項３記載の第２発明を、第１発明である該固定構造の別実施形態として図２に示す。
該別実施形態の一例として、ここでは、本体がキーパー（６）と（７）及び可動式ストッパー（８）を具備することで、（６）と（７）２つのキーパー間の長さをワームなど仕掛けに保持固定したいもののサイズや形状に合わせ変更できる、「可動式のキーパーによる固定構造」である。
該固定構造は、伸縮性の少ない素材の固定にも対応できる応用性の高いワーム保持能力を有することから、ワームに比べて伸縮性に乏しい生餌などの固定にも向く。
【発明の効果】
【００１７】  請求項４記載の第３発明は、ワームなどの素材が持つ弾力を利用して簡単で強固に「仕掛け」にワームなどを装着する際の固定構造であり、図８は、実際に固定作業を行うさいの手引となる。
【図面の簡単な説明】
【００１８】
【図１】この発明の一実施形態の一例として、固定式のキーパーによるワームの固定構造を有した本体形状の一例を示す図である。
【図２】この発明の一実施形態の一例として、可動式のキーパーによるワームなどの固定構造を有した本体形状の一例を示す図である。
【図３】複数の釣り針を具備した本体を使用した「仕掛け」に於いての、この発明の実施形態の一例を示す。
【図４】イカ用釣り針を具備した本体を使用した「仕掛け」に於いての、この発明の実施形態、の一例を示す。
【図５】ジグヘッドによるワーム固定構造の実施形態の一例を示す。
【図６】専用器具を使用したワーム固定構造の実施形態の一例を示す。
【図７】インサート整形によるワーム固定構造の実施形態の一例を示す。
【図８】［請求項４］に示したワーム装着方法の解説である。
【図９】ワームの下側に設けられた切れ込みを利用し、本体をワーム内部に入れ込むように装着した「仕掛」に於いての、この発明の実施形態の一例を示す。
【発明を実施するための形態】
【００１９】  この発明の実施形態に係る「仕掛け」の成形例を、図３、図４、図９に示す。
【００２０】  図３は、本体にワームと複数の釣り針を具備した「仕掛け」に於けるこの発明の実施形態の一例。ワームの着脱が容易で、且つ、釣り竿を使用して遠投（以下、「キャスト」）したり、激しく動かしたりして急激に負荷がかかっても、強固にワームの保持ができ、さらに、ワームの素材の柔らかさが生み出す利点の一つである、動きの良さを損なわない。
【００２１】  図４は、本体にイカ用釣り針を具備した「仕掛け」に於けるこの発明の実施形態の一例。キャストやシャクリ等の激しい操作がつきもののイカ釣りでは、ワームが強固に「仕掛け」に固定される必要がある。また、「仕掛け」のバランスをとるため、必要に応じて最適な場所にオモリ（１７）や浮力体（１８）を装着する。
【００２２】  図９は、ワームの下側に設けられた切れ込みを利用し、本体をワーム内部に入れ込むように装着した「仕掛」に於けるこの発明の実施形態の一例。
「仕掛け」に一体感を出すことで、インサート成形で作られるような、ワームの素材をボディーに使用したルアーとしての体を成す。「仕掛け」のバランスをとるため、必要に応じて最適な場所にバランサー（３９）を装着する。
【実施形態の効果】
【発明の効果】
【００２３】  第１、第２、第３発明によれば、ワームの柔らかな動きを維持しながら、強固かつ簡単にワームを「仕掛け」に保持できることで、仕掛けを激しく操作するイカ釣りや、オフショアキャスティングゲームなどに代表される、これまでワームの使用が困難であったルアー釣りのジャンルに対する「仕掛け」の提案ができる。
【００２４】  第１、第３発明によれば、図９のように、本体がワームに隠れるような構造にすることで、ワーム用軟質素材を使用したルアーの製造において、従来技術であるインサート成型などと比較して、コスト削減や時間短縮が見込める。
【他の実施形態】
【００２５】  図２の可動式ストッパーは、キーパーを任意の位置で固定でき、使用するワームなどに合わせて位置の調整が可能であれば、形状、素材などについての限定はない。ここでは、あくまでも一例として、ゴムや合成樹脂など伸縮性を有する原材料としたチューブを状にしたものを実施形態として示した。
【００２６】  キーパーは、ワームなどの固定を目的として具備されるものであるため、固定したいワームなどの形状に合わせて形成、設置される必要がある。
ここでは、あくまでも一例として、レ字型に成形された一対（２個）の針金状の部品として図面に記載しているが、形状、素材、数量については、この図で示したものに限定されない。
【００２７】  図９、（３９）のバランサーは、「仕掛け」に、遊泳姿勢、沈降速度、飛距離などのルアーに必要な性能を持たせるために具備される部品で、記載された実施形態には、あくまでも一例である。したがって、形状、素材、サイズ及び装着位置などは、図９で示したものに限定されない。
【００２９】  本発明による固定構造は、ルアーフィッシングに於ける疑似餌であるワームの固定構造を念頭にしているが、臭いや味が付いたワームや、合成された釣りエサ、あるいは形状をルアーに近づけてルアー用の釣り仕掛けで使用する釣りエサなど、ルアーとエサの境目が曖昧になっているため、形状や強度など本体に固定するにあたって必要な条件を備えたものであれば、さなかの切り身や鳥のササミなどのエサであっても、ワームと同様の扱い対象とみなす。
【産業上の利用可能性】
【００２８】  本発明は、ワームの使用が少なかった、オフショアキャスティングゲームや、エギングなどのルアーフィシングジャンルで使用するためのワームの製造や、ワームの素材を使用してインサート成形でルアーを製造する産業で利用される。
【符号の説明】
【００２９】  １  釣り糸をむすぶための穴
２  キーパー（２）
３  キーパー（３）
４  釣り針を取り付けるための穴
５  ストッパー
６  キーパー（６）
７  キーパー（７）
８  可動式ストッパー（８）
９  キーパー（９）
１０  キーパー（１０）
１１  スプリットリング
１２  トレブルフック
１３  ワーム
１４  キーパー（１４）
１５  キーパー（１５）
１６  イカ用釣り針（カンナ）
１７  オモリ（１７）
１８  浮力体（１８）
１９  ジグヘッドのヘッドウエイト部
２０  ジグヘッドを装着したワーム
２１  ジグヘッドのフック部
２２  専用器具ヘッド部
２３  ワームに刺し通した専用器具の金属ボディー
２４  専用器具に装着したワーム
２５  ワーム素材で成形された魚ルアーのボディー
２６  インサート成形でワームのボディーに埋め込まれた保持固定用パーツ
２７  ルアーのバランスをとるためのウエイト
２８  キーパー（２８）
２９  キーパー（２９）
３０  最初にキーパー（２８）をワームのこの辺りに刺し通す。
３１  キーパー（２９）をワームのこの辺りに刺し通す。
３２  ３１の工程において、キーパー（２９）を刺し通すために必要な、ワームを引き伸      ばす長さの目安。
３３  ワームのボディー
３４  本体が隠れるように下側に切れ込みを入れたワームのボディー
３５  ワームを本体に装着するために本体に刺し通した状態のキーパー（３５）
３６  ワームを本体に装着するために本体に刺し通した状態のキーパー（３６）
３７  ワームに切れ込みを入れた部分を示す着色部
３８  ワームに切れ込みを入れた部分を示す矢印。
３９  ルアーのバランスをとるために装着したバランサー。
【図１】
2018117606.tif 000003
【図２】
2018117606.tif 000004
【図３】
2018117606.tif 000005
【図４】
2018117606.tif 000006
【図５】
2018117606.tif 000007
【図６】
2018117606.tif 000008
【図７】
2018117606.tif 000009
【図８】
2018117606.tif 000010
【図９】
2018117606.tif 000011